(57)【要約】【課題】安価に関連する装飾を立体的に表示することができ、大量制作にも適した装飾プレートの提供。【解決手段】プレート本体２の表面に印刷された写真部３と、プレート本体２の表面部に配置された一又は複数の装飾部４とを備え、プレート本体２が熱可塑性樹脂からなるシート状材をもって構成され、写真部３の外縁部にシート状材を膨出させてなる枠状のフレーム部６が一体に形成されるとともに、装飾部４にシート状材を膨出させてなる装飾用立体７が一体に形成された装飾プレート１。【選択図】図１
2014213518.tif 000002
【特許請求の範囲】
【請求項１】
プレート本体の表面に表示された写真部と、前記プレート本体の表面部に配置された一又は複数の装飾部とを備えてなる装飾プレートにおいて、
前記プレート本体が熱可塑性樹脂からなるシート状材をもって構成され、
前記写真部の外縁部に前記シート状材を膨出させてなる枠状のフレーム部が一体に形成されるとともに、前記装飾部に前記シート状材を膨出させてなる装飾用立体が一体に形成されたことを特徴としてなる装飾プレート。
【請求項２】
前記フレーム部及び前記装飾用立体は、真空成形により形成されてなる請求項１に記載の装飾プレート。
【発明の詳細な説明】
【技術分野】
【０００１】
本発明は、例えば、卒業、入学、スポーツ行事、子供の誕生、結婚記念、表彰記念、創立記念等の各種の出来事を記念して作成される装飾プレートに関する。
【背景技術】
【０００２】
例えば、卒業、入学、スポーツ行事、子供の誕生、結婚記念、表彰記念、創立記念等の各種の記念すべき出来事を形にして残す手段として、記念写真等を表示した写真表示部と、その出来事に関連した図形等を表示した装飾部と、その出来事に関連した字句を表示した字句表示部とを一枚のプレートに一体又は一体的に備えた所謂メモリアルプレート等の装飾プレートが知られている。
【０００３】
この装飾プレートとしては、例えば、写真部、装飾部及び字句表示部を一枚のシート状又は平板状のプレート本体に印刷により形成したものや（例えば、特許文献１を参照）、アクリル板等のプレート基材にレーザー彫刻等で彫刻を施し、装飾部を立体的に表示するようにしたもの等が知られている（例えば、特許文献２、特許文献３を参照）。
【先行技術文献】
【特許文献】
【０００４】
【特許文献１】実用新案登録第３００９６５６号公報
【特許文献２】実用新案登録第３０６３９９７号公報
【特許文献３】特開２００７−２９５８１号公報
【発明の概要】
【発明が解決しようとする課題】
【０００５】
しかしながら、上述の如き従来の印刷による装飾プレートでは、立体感や高級感に乏しく、贈呈された人の印象に残り難く、記念品としての価値が低いという問題があった。
【０００６】
一方、プレート本体にレーザー彫刻等の彫刻を施すことにより装飾部を立体的に表示するようにしたものでは、一点毎に彫刻を施さなければならないため、その分製作費用及び時間が嵩み、多くの人に贈呈する場合等の大量制作には適さないという問題があった。
【０００７】
本発明は、このような従来の問題に鑑み、安価に関連する装飾を立体的に表示することができ、大量制作にも適した装飾プレートの提供を目的としてなされたものである。
【課題を解決するための手段】
【０００８】
上述の如き従来の問題を解決し、所期の目的を達成するための請求項1に記載の発明の特徴は、プレート本体の表面に表示された写真部と、前記プレート本体の表面部に配置された一又は複数の装飾部とを備えてなる装飾プレートにおいて、前記プレート本体が熱可塑性樹脂からなるシート状材をもって構成され、前記写真部の外縁部に前記シート状材を膨出させてなる枠状のフレーム部が一体に形成されるとともに、前記装飾部に前記シート状材を膨出させてなる装飾用立体が一体に形成された装飾プレートにある。
【０００９】
請求項２に記載の発明の特徴は、請求項１の構成に加え、前記フレーム部及び前記装飾用立体は、真空成形により形成されたことにある。
【発明の効果】
【００１０】
本発明に係る装飾プレートは、上述したように、プレート本体の表面に表示された写真部と、前記プレート本体の表面部に配置された一又は複数の装飾部とを備えてなる装飾プレートにおいて、前記プレート本体が熱可塑性樹脂からなるシート状材をもって構成され、前記写真部の外縁部に前記シート状材を膨出させてなる枠状のフレーム部が一体に形成されるとともに、前記装飾部に前記シート状材を膨出させてなる装飾用立体が一体に形成されたことにより、出来事に関する写真部をフレーム部で強調するとともに、出来事に関する装飾部を立体的に表示し、その出来事をより鮮明に見る者に印象付けることができ、記念品等としての価値を高めることができる。また、一点毎に彫刻を施す場合に比べて安価で製作でき、大量制作にも適している。
【００１１】
また、本発明において、前記フレーム部及び前記装飾用立体は、真空成形により形成されてなることにより、シート状材を膨出させ、フレーム部及び装飾用立体を好適に成形することができる。
【図面の簡単な説明】
【００１２】
【図１】本発明に係る装飾プレートの一例を示す正面図である。
【図２】図１中のプレート本体を示す正面図である。
【図３】同上の側面図である。
【図４】図２中のＡ−Ａ線断面におけるフレーム部部分を示す断面図である。
【図５】同上の装飾部部分を示す部分拡大断面図である。
【図６】図１中の装飾プレートの使用例を示す斜視図である。
【発明を実施するための形態】
【００１３】
次に、本発明に係る装飾プレートの実施の態様を図１〜図６に示した実施例に基づいて説明する。図１は本発明に係る装飾プレートの一例であって、図中符号１は装飾プレートである。
【００１４】
この装飾プレート１は、プレート本体２の表面に表示された写真部３と、プレート本体２の表面部に配置された装飾部４とを備え、写真部３に例えば、卒業、入学、スポーツ行事、子供の誕生、結婚記念、表彰記念、創立記念等の各種の出来事の記念写真を表示するとともに、その出来事に関連する装飾を装飾部４に表示することにより、その出来事を印象的に演出することができるようになっている。尚、図中符号５は、その出来事に関する字句を表示する字句表示部である。
【００１５】
プレート本体２は、熱可塑性合成樹脂からなるシート状材をもって構成され、その表面に表示されるように写真部３、装飾部４及び字句表示部５を形成する印刷が施されている。
【００１６】
また、この装飾プレート１には、写真部３の外縁部にプレート本体２を構成するシート状材を膨出させてなる枠状のフレーム部６が一体に形成され、写真部３が立体的なフレーム部６に囲まれたことにより写真が強調されるようになっている。
【００１７】
フレーム部６は、図４に示すように、シート状材の写真部３外縁部を表側に膨出させることにより成形され、Ｕ字状断面が写真部３外縁に沿って連続し、プレート本体２表面より突出した矩形枠状に形成されている。
【００１８】
更に、装飾プレート１には、装飾部４にプレート本体２を構成するシート状材をデザインに合わせて立体的に膨出させてなる装飾用立体７が形成され、出来事に関連するデザイン（本実施例ではサッカーボール）を装飾用立体７で表現することにより立体感を演出し、その出来事をより鮮明に印象づけるようになっている。
【００１９】
装飾用立体７の形状は、例えば、記念すべき出来事がサッカー大会優勝である場合、シート状材を表面側に膨出させることによりサッカーボールを模して半球体状に形成される。
【００２０】
尚、装飾用立体７の形状は、上述の実施例に限定されず、例えば、結婚式の記念品の場合には、装飾部４にウェディングケーキ（多段凸状）を立体的に模した装飾用立体７を形成したもの等であってもよく、また、一つの装飾部４に複数の装飾用立体７を備えるようにしてもよく、例えば、野球大会に関する記念品では、一つの装飾部４にボールとバットとをそれぞれ立体的に模した装飾用立体７を備えるようにしたもの等であってもよい。
【００２１】
フレーム部６及び装飾用立体７は、真空成形、即ち、熱可塑性樹脂からなるシート状材を加熱して軟化させ、その状態でシート状材を成形型に設置し、そしてシート状材と成形型の間の空気を吸引してシート状材と成形型との間部分を真空状態にし、シート状材を成形型に密着させることにより所望の形状に成形するようになっている。
【００２２】
尚、真空成形は、プレート本体２に写真部３、装飾部４、字句表示部５及びその他の背景部分をそれぞれ印刷した状態で行い、写真部３及び装飾部４の装飾用立体７部分は、成形後の形状を考慮して印刷されている。
【００２３】
即ち、写真部３は、成形後にフレーム部６の内側に配置される位置に印刷され、装飾用立体７部分は、膨出によるシート状材の延びを予測し、成形後に装飾用立体７の形状に合わせて表示されるように縮小して印刷されている。
【００２４】
このように構成された装飾プレート１は、例えば、図６に示すように、プレート本体２の外縁部を額縁１０に嵌め込み、額縁１０の前面開口１１部にプレート本体２の表面部を露出させた状態で使用する。
【００２５】
その際、写真部３の外縁部にシート状材表面より突出した枠状のフレーム部６が一体に形成されたことにより、立体的な枠に囲まれて写真部３が強調されるので、記念写真を鮮明に表示することができる。
【００２６】
また、プレート本体２の表面より膨出した装飾用立体７が額縁１０の表面開口１１を通して表面部に露出し、記念すべき出来事に関連するデザインが立体的に表示（表現）されるので、立体感や高級感が増し、当該装飾プレート１を観る人の注意を惹きつけることができる。
【００２７】
尚、上述実施例では、フレーム部６を矩形枠状に形成した例について説明したが、フレーム部６の形状は上述の実施例に限定されず任意の形状としてもよく、例えば、丸型枠状、ハート側枠状、星型枠状等であってもよい。
【００２８】
また、プレート本体２の形状も上述の如き矩形シート状に限定されず任意の形状とすることができる。
【００２９】
更に、写真部３、装飾部４、字句表示部５の配置及びそれに伴うフレーム部６、装飾用立体７の配置は、上述の実施例に限定されずに任意の配置に設定でき、例えば、写真部３及びフレーム部６を中央に配置し、その両側部に装飾部４及び装飾用立体７を配置するようにしてもよい。
【００３０】
また、上述の実施例では、写真部３に記念写真を印刷し、当該装飾プレート１を記念品として使用した例について説明したが、用途は記念品に限定されず、例えば、写真部３に商品の使用イメージ写真を印刷し、装飾部４にその商品の外観を表示することにより、店頭展示用の販売促進具等としても使用することができる。
【００３１】
更にまた、上述の実施例では、装飾プレート１を額縁１０に保持させて使用した例について説明したが、使用態様はこれに限定されず、例えば、装飾プレート１単体を壁に貼り付けて使用してもよい。
【符号の説明】
【００３２】
１  装飾プレート
２  プレート本体
３  写真部
４  装飾部
５  字句表示部
６  フレーム部
７  装飾用立体
【図１】
2014213518.tif 000003
【図２】
2014213518.tif 000004
【図３】
2014213518.tif 000005
【図４】
2014213518.tif 000006
【図５】
2014213518.tif 000007
【図６】
2014213518.tif 000008
【手続補正書】
【提出日】平成26年1月29日(2014.1.29)
【手続補正１】
【補正対象書類名】特許請求の範囲
【補正対象項目名】全文
【補正方法】変更
【補正の内容】
【特許請求の範囲】
【請求項１】
プレート本体の表面に表示された写真部と、前記プレート本体の表面部に配置された一又は複数の装飾部とを備えてなる装飾プレートにおいて、
前記プレート本体が熱可塑性樹脂からなるシート状材をもって構成され、
前記写真部の外縁部に前記シート状材を膨出させてなる枠状のフレーム部が一体に形成されていることを特徴としてなる装飾プレート。
【請求項２】
前記装飾部に前記シート状材を膨出させてなる装飾用立体が一体に形成されている請求項１に記載の装飾プレート。
【請求項３】
前記フレーム部及び前記装飾用立体は、真空成形により形成されてなる請求項２に記載の装飾プレート。
【手続補正２】
【補正対象書類名】明細書
【補正対象項目名】全文
【補正方法】変更
【補正の内容】
【発明の詳細な説明】
【技術分野】
【０００１】
本発明は、例えば、卒業、入学、スポーツ行事、子供の誕生、結婚記念、表彰記念、創立記念等の各種の出来事を記念して作成される装飾プレートに関する。
【背景技術】
【０００２】
例えば、卒業、入学、スポーツ行事、子供の誕生、結婚記念、表彰記念、創立記念等の各種の記念すべき出来事を形にして残す手段として、記念写真等を表示した写真表示部と、その出来事に関連した図形等を表示した装飾部と、その出来事に関連した字句を表示した字句表示部とを一枚のプレートに一体又は一体的に備えた所謂メモリアルプレート等の装飾プレートが知られている。
【０００３】
この装飾プレートとしては、例えば、写真部、装飾部及び字句表示部を一枚のシート状又は平板状のプレート本体に印刷により形成したものや（例えば、特許文献１を参照）、アクリル板等のプレート基材にレーザー彫刻等で彫刻を施し、装飾部を立体的に表示するようにしたもの等が知られている（例えば、特許文献２、特許文献３を参照）。
【先行技術文献】
【特許文献】
【０００４】
【特許文献１】実用新案登録第３００９６５６号公報
【特許文献２】実用新案登録第３０６３９９７号公報
【特許文献３】特開２００７−２９５８１号公報
【発明の概要】
【発明が解決しようとする課題】
【０００５】
しかしながら、上述の如き従来の印刷による装飾プレートでは、立体感や高級感に乏しく、贈呈された人の印象に残り難く、記念品としての価値が低いという問題があった。
【０００６】
一方、プレート本体にレーザー彫刻等の彫刻を施すことにより装飾部を立体的に表示するようにしたものでは、一点毎に彫刻を施さなければならないため、その分製作費用及び時間が嵩み、多くの人に贈呈する場合等の大量制作には適さないという問題があった。
【０００７】
本発明は、このような従来の問題に鑑み、安価に関連する装飾を立体的に表示することができ、大量制作にも適した装飾プレートの提供を目的としてなされたものである。
【課題を解決するための手段】
【０００８】
上述の如き従来の問題を解決し、所期の目的を達成するための請求項1に記載の発明の特徴は、プレート本体の表面に表示された写真部と、前記プレート本体の表面部に配置された一又は複数の装飾部とを備えてなる装飾プレートにおいて、前記プレート本体が熱可塑性樹脂からなるシート状材をもって構成され、前記写真部の外縁部に前記シート状材を膨出させてなる枠状のフレーム部が一体に形成されていることにある。
【０００９】
請求項２に記載の発明の特徴は、請求項１の構成に加え、前記装飾部に前記シート状材を膨出させてなる装飾用立体が一体に形成されていることにある。
【００１０】
請求項３に記載の発明の特徴は、請求項２の構成に加え、前記フレーム部及び前記装飾用立体は、真空成形により形成されたことにある。
【発明の効果】
【００１１】
本発明に係る装飾プレートは、上述したように、プレート本体の表面に表示された写真部と、前記プレート本体の表面部に配置された一又は複数の装飾部とを備えてなる装飾プレートにおいて、前記プレート本体が熱可塑性樹脂からなるシート状材をもって構成され、前記写真部の外縁部に前記シート状材を膨出させてなる枠状のフレーム部が一体に形成されるとともに、前記装飾部に前記シート状材を膨出させてなる装飾用立体が一体に形成されたことにより、出来事に関する写真部をフレーム部で強調することができ、記念品等としての価値を高めることができる。また、一点毎に彫刻を施す場合に比べて安価で製作でき、大量制作にも適している。
更に、前記フレーム部に加え、出来事に関する装飾部を立体的に表示することにより、その出来事をより鮮明に見る者に印象付ける。
【００１２】
また、本発明において、前記フレーム部及び前記装飾用立体は、真空成形により形成されてなることにより、シート状材を膨出させ、フレーム部及び装飾用立体を好適に成形することができる。
【図面の簡単な説明】
【００１３】
【図１】本発明に係る装飾プレートの一例を示す正面図である。
【図２】図１中のプレート本体を示す正面図である。
【図３】同上の側面図である。
【図４】図２中のＡ−Ａ線断面におけるフレーム部部分を示す断面図である。
【図５】同上の装飾部部分を示す部分拡大断面図である。
【図６】図１中の装飾プレートの使用例を示す斜視図である。
【発明を実施するための形態】
【００１４】
次に、本発明に係る装飾プレートの実施の態様を図１〜図６に示した実施例に基づいて説明する。図１は本発明に係る装飾プレートの一例であって、図中符号１は装飾プレートである。
【００１５】
この装飾プレート１は、プレート本体２の表面に表示された写真部３と、プレート本体２の表面部に配置された装飾部４とを備え、写真部３に例えば、卒業、入学、スポーツ行事、子供の誕生、結婚記念、表彰記念、創立記念等の各種の出来事の記念写真を表示するとともに、その出来事に関連する装飾を装飾部４に表示することにより、その出来事を印象的に演出することができるようになっている。尚、図中符号５は、その出来事に関する字句を表示する字句表示部である。
【００１６】
プレート本体２は、熱可塑性合成樹脂からなるシート状材をもって構成され、その表面に表示されるように写真部３、装飾部４及び字句表示部５を形成する印刷が施されている。
【００１７】
また、この装飾プレート１には、写真部３の外縁部にプレート本体２を構成するシート状材を膨出させてなる枠状のフレーム部６が一体に形成され、写真部３が立体的なフレーム部６に囲まれたことにより写真が強調されるようになっている。
【００１８】
フレーム部６は、図４に示すように、シート状材の写真部３外縁部を表側に膨出させることにより成形され、Ｕ字状断面が写真部３外縁に沿って連続し、プレート本体２表面より突出した矩形枠状に形成されている。
【００１９】
更に、装飾プレート１には、装飾部４にプレート本体２を構成するシート状材をデザインに合わせて立体的に膨出させてなる装飾用立体７が形成され、出来事に関連するデザイン（本実施例ではサッカーボール）を装飾用立体７で表現することにより立体感を演出し、その出来事をより鮮明に印象づけるようになっている。
【００２０】
装飾用立体７の形状は、例えば、記念すべき出来事がサッカー大会優勝である場合、シート状材を表面側に膨出させることによりサッカーボールを模して半球体状に形成される。
【００２１】
尚、装飾用立体７の形状は、上述の実施例に限定されず、例えば、結婚式の記念品の場合には、装飾部４にウェディングケーキ（多段凸状）を立体的に模した装飾用立体７を形成したもの等であってもよく、また、一つの装飾部４に複数の装飾用立体７を備えるようにしてもよく、例えば、野球大会に関する記念品では、一つの装飾部４にボールとバットとをそれぞれ立体的に模した装飾用立体７を備えるようにしたもの等であってもよい。
【００２２】
フレーム部６及び装飾用立体７は、真空成形、即ち、熱可塑性樹脂からなるシート状材を加熱して軟化させ、その状態でシート状材を成形型に設置し、そしてシート状材と成形型の間の空気を吸引してシート状材と成形型との間部分を真空状態にし、シート状材を成形型に密着させることにより所望の形状に成形するようになっている。
【００２３】
尚、真空成形は、プレート本体２に写真部３、装飾部４、字句表示部５及びその他の背景部分をそれぞれ印刷した状態で行い、写真部３及び装飾部４の装飾用立体７部分は、成形後の形状を考慮して印刷されている。
【００２４】
即ち、写真部３は、成形後にフレーム部６の内側に配置される位置に印刷され、装飾用立体７部分は、膨出によるシート状材の延びを予測し、成形後に装飾用立体７の形状に合わせて表示されるように縮小して印刷されている。
【００２５】
このように構成された装飾プレート１は、例えば、図６に示すように、プレート本体２の外縁部を額縁１０に嵌め込み、額縁１０の前面開口１１部にプレート本体２の表面部を露出させた状態で使用する。
【００２６】
その際、写真部３の外縁部にシート状材表面より突出した枠状のフレーム部６が一体に形成されたことにより、立体的な枠に囲まれて写真部３が強調されるので、記念写真を鮮明に表示することができる。
【００２７】
また、プレート本体２の表面より膨出した装飾用立体７が額縁１０の表面開口１１を通して表面部に露出し、記念すべき出来事に関連するデザインが立体的に表示（表現）されるので、立体感や高級感が増し、当該装飾プレート１を観る人の注意を惹きつけることができる。
【００２８】
尚、上述実施例では、フレーム部６を矩形枠状に形成した例について説明したが、フレーム部６の形状は上述の実施例に限定されず任意の形状としてもよく、例えば、丸型枠状、ハート側枠状、星型枠状等であってもよい。
【００２９】
また、プレート本体２の形状も上述の如き矩形シート状に限定されず任意の形状とすることができる。
【００３０】
更に、写真部３、装飾部４、字句表示部５の配置及びそれに伴うフレーム部６、装飾用立体７の配置は、上述の実施例に限定されずに任意の配置に設定でき、例えば、写真部３及びフレーム部６を中央に配置し、その両側部に装飾部４及び装飾用立体７を配置するようにしてもよい。
【００３１】
また、上述の実施例では、写真部３に記念写真を印刷し、当該装飾プレート１を記念品として使用した例について説明したが、用途は記念品に限定されず、例えば、写真部３に商品の使用イメージ写真を印刷し、装飾部４にその商品の外観を表示することにより、店頭展示用の販売促進具等としても使用することができる。
【００３２】
更にまた、上述の実施例では、装飾プレート１を額縁１０に保持させて使用した例について説明したが、使用態様はこれに限定されず、例えば、装飾プレート１単体を壁に貼り付けて使用してもよい。
【符号の説明】
【００３３】
１  装飾プレート
２  プレート本体
３  写真部
４  装飾部
５  字句表示部
６  フレーム部
７  装飾用立体